(57)【特許請求の範囲】
【請求項１】
個人の管理情報を管理符号毎に記憶する記憶部と、
前記記憶部に記憶された前記個人の管理情報の前記管理符号と装置の識別情報とを使用して識別用シンボルを生成する識別用シンボル生成部と、
前記個人の管理情報のインデックスと前記識別用シンボルとの印刷を行う印刷部と、
前記印刷部によって印刷された印刷物に印刷された前記識別用シンボルの情報から前記装置の識別情報を読み取る読取部と、を有し、
前記読取部によって読み取られた前記識別用シンボルの前記装置の識別情報と読み取りを行った装置の識別情報との一致を判断し、両識別情報が一致する場合、前記個人の管理情報を、前記装置に接続されたホスト機器の表示部に表示する、
ことを特徴とする印刷装置。
【請求項２】
個人の管理情報を管理符号毎に記憶する記憶部と、
前記記憶部に記憶された前記個人の管理情報の前記管理符号と装置の識別情報とを使用して識別用シンボルを生成する識別用シンボル生成部と、
前記個人の管理情報のインデックスと前記識別用シンボルとの印刷を行う印刷部と、
前記印刷部によって印刷された印刷物に印刷された前記識別用シンボルの情報から前記装置の識別情報を読み取る読取部と、
前記読取部によって読み取られた前記識別用シンボルの前記装置の識別情報と読み取りを行った装置の識別情報との一致を判断し、両識別情報が一致する場合、前記個人の管理情報を表示する表示部と、を有し、
前記読取部には鍵が設置され、前記装置の管理者によって当該鍵が管理されることを特徴とする印刷装置。
【請求項３】
前記識別用シンボル生成部は、更に印刷装置に接続された前記ホスト機器の識別情報も含めた前記識別用シンボルを生成し、前記印刷部によって前記識別用シンボルの印刷を行うことを特徴とする請求項１に記載の印刷装置。
【請求項４】
前記識別用シンボル生成部は、更に印刷装置に接続されたホスト機器の識別情報も含めた前記識別用シンボルを生成し、前記印刷部によって前記識別用シンボルの印刷を行うことを特徴とする請求項２に記載の印刷装置。
【請求項５】
前記識別用シンボルは二次元バーコードであることを特徴とする請求項１乃至４のいずれかに記載の印刷装置。
【請求項６】
個人の管理情報を管理符号毎に記憶部に記憶する処理と、
前記記憶部に記憶された前記個人の管理情報の前記管理符号と装置の識別情報とを使用して識別用シンボルを生成する処理と、
前記個人の管理情報のインデックスと前記識別用シンボルとの印刷を行う印刷処理と、
前記印刷処理によって印刷された印刷物に印刷された前記識別用シンボルの情報から前記装置の識別情報を読み取る読取処理と、
前記読取処理によって読み取られた前記識別用シンボルの前記装置の識別情報と読み取りを行った装置の識別情報との一致を判断し、両識別情報が一致する場合、前記個人の管理情報を、前記装置に接続されたホスト機器の表示部に表示する表示処理と、を行う、ことを特徴とする印刷装置の制御方法。
【発明の詳細な説明】
【技術分野】
【０００１】
本発明は印刷装置、及び、印刷装置の制御方法に関する。
【背景技術】
【０００２】
印刷装置を使用してデータを印刷する際、バーコードやＱＲコード（商標）などの情報（識別用シンボル）を付加して印刷物を作成し、以後この印刷物に付加されたバーコードの情報をデジタルカメラ等で撮影し、ウェブサイト等へのアクセスを容易に行う方法が知られている。例えば、特許文献１はＩＤコードを印刷して、出荷する製品にシールとして張り付け、製品を購入した消費者は、携帯電話の読取装置を利用してＩＤコードを読取り、該当する商品のホームページへ容易にアクセスする発明を開示する。
【０００３】
一方、今日個人が管理する情報、例えば個人のスケジュール情報等をパーソナルコンピュータ（ＰＣ）等で管理し、印刷装置を利用して印刷出力することも広く行われている。例えば、特許文献２はメール情報やファクシミリによって読み込んだ情報をカレンダベースでスケジュール管理し、印刷出力する印刷装置の発明を開示する。
【先行技術文献】
【特許文献】
【０００４】
【特許文献１】特開２００８-０４７０８０号公報
【特許文献２】特開２００６-０８０９２３号公報
【発明の概要】
【発明が解決しようとする課題】
【０００５】
しかしながら、バーコードの情報を付加して印刷物を作成し、以後この印刷物に付加されたバーコードの情報に基づいて特定のデータにアクセスする際、ウェブサイト等へのアクセスには適しているが、個人が管理するデータにアクセスする場合には問題となる。例えば、個人が管理するスケジュール情報に第三者が自由にアクセスすることは問題であり、セキュリティを確保する必要がある。
【０００６】
そこで、本発明は印刷物にバーコードの情報を付加する際、印刷を行う印刷装置の識別情報を含むバーコードを作成し、このバーコードを作成した印刷装置によってのみ必要とする情報にアクセスできる構成とすることによって、個人が管理するデータのセキュリティを確保する印刷装置、及び、印刷装置の制御方法を提供するものである。
【０００７】
前記課題を解決するため、本発明の印刷装置の一態様は、個人の管理情報を管理符号毎に記憶する記憶部と、前記記憶部に記憶された前記個人の管理情報の前記管理符号と装置の識別情報とを使用して識別用シンボルを生成する識別用シンボル生成部と、前記個人の管理情報のインデックスと前記識別用シンボルとの印刷を行う印刷部と、前記印刷部によって印刷された印刷物に印刷された前記識別用シンボルの情報から前記装置の識別情報を読み取る読取部と、を有し、前記読取部によって読み取られた前記識別用シンボルの前記装置の識別情報と読み取りを行った装置の識別情報との一致を判断し、両識別情報が一致する場合、前記個人の管理情報を、前記装置に接続されたホスト機器の表示部に表示する、ことを特徴とする。
前記課題を解決するため、本発明の印刷装置の一態様は、個人の管理情報を管理符号毎に記憶する記憶部と、前記記憶部に記憶された前記個人の管理情報の前記管理符号と装置の識別情報とを使用して識別用シンボルを生成する識別用シンボル生成部と、前記個人の管理情報のインデックスと前記識別用シンボルとの印刷を行う印刷部と、前記印刷部によって印刷された印刷物に印刷された前記識別用シンボルの情報から前記装置の識別情報を読み取る読取部と、前記読取部によって読み取られた前記識別用シンボルの前記装置の識別情報と読み取りを行った装置の識別情報との一致を判断し、両識別情報が一致する場合、前記個人の管理情報を表示する表示部と、を有し、前記読取部には鍵が設置され、前記装置の管理者によって当該鍵が管理されることを特徴とする。
また、前記課題を解決するため、本発明の印刷装置の制御方法の一態様は、個人の管理情報を管理符号毎に記憶部に記憶する処理と、前記記憶部に記憶された前記個人の管理情報の前記管理符号と装置の識別情報とを使用して識別用シンボルを生成する処理と、前記個人の管理情報のインデックスと前記識別用シンボルとの印刷を行う印刷処理と、前記印刷処理によって印刷された印刷物に印刷された前記識別用シンボルの情報から前記装置の識別情報を読み取る読取処理と、前記読取処理によって読み取られた前記識別用シンボルの前記装置の識別情報と読み取りを行った装置の識別情報との一致を判断し、両識別情報が一致する場合、前記個人の管理情報を、前記装置に接続されたホスト機器の表示部に表示する表示処理と、を行う、ことを特徴とする。
【発明の効果】
【０００８】
本発明によれば、バーコードを作成した印刷装置を使用しない限り個人の管理する情報を読み出すことができないので、個人の管理情報のセキュリティを確保することができる。
【図面の簡単な説明】
【０００９】
【図１】本実施形態の印刷装置を複数使用したシステム構成図である。
【図２】印刷装置の回路ブロック図である。
【図３】本実施形態の印刷装置を使用してＱＲコードを含むラベルの印刷処理を説明するフローチャートである。
【図４】本実施形態の印刷装置を使用してＱＲコードの読み取り処理を説明するフローチャートである。
【発明を実施するための形態】
【００１０】
以下、本発明の実施の形態を図面に基づいて説明する。
図１は本実施形態の印刷装置を複数使用したシステム構成図である。同図において、印刷装置１〜３は、例えばラベルプリンタであり、印刷装置１はパーソナルコンピュータ（ＰＣ１）に接続され、印刷装置２はパーソナルコンピュータ（ＰＣ２）に接続され、印刷装置３はパーソナルコンピュータ（ＰＣ３）に接続されている。
【００１１】
パーソナルコンピュータ（ＰＣ１〜３）は、例えばＬＡＮ等のネットワークで接続され、グループウエアを構成し、会議等のスケジュール情報を共有している。また、パーソナルコンピュータ（ＰＣ１）〜（ＰＣ３）は対応する印刷装置１〜３に印刷データを送信し、印刷装置１〜３に印刷データに従った印刷出力を行わせる。
【００１２】
印刷装置１〜３は同じ構成であり、例えば印刷データに従ってサーマルヘッドによる記録媒体への印刷処理を行う。記録媒体は感熱紙でもラベル紙でも使用可能であり、ラベル紙の場合インクリボンを使用して印刷が行われる。
尚、図１に示す１ａ〜３ａは対応する印刷装置１〜３内のＲＯＭの一部の構成を示す。例えば、１ａは印刷装置１のＲＯＭに記憶された印刷装置１の識別コード（識別情報）（００００００２１）を示し、２ａは印刷装置２のＲＯＭに記憶された印刷装置２の識別コード（００００００２２）を示し、３ａは印刷装置３のＲＯＭに記憶された印刷装置３の識別コード（００００００２３）を示す。
【００１３】
図２は、上記印刷装置１〜３の回路ブロック図を示す。印刷装置１〜３（以下、印刷装置１〜３を代表して印刷装置１で示す）は、ＣＰＵ４、ＲＯＭ５、ＲＡＭ６、記憶部７、読取部８、印刷部９、入出力インターフェイス１０で構成されている。ＣＰＵ４は印刷装置１の処理を行い、ＲＯＭ５に記憶されたシステムプログラムによって制御を行う。
【００１４】
また、ＲＯＭ５にはスケジュール情報の管理プログラムも記憶されており、記憶部７に記憶されたスケジュール情報の管理を行う。さらに、上記のようにＲＯＭ５には、それぞれ印刷装置１〜３の識別を行う識別コードも記憶され、また後述するＱＲコードの生成の際のプログラムも記憶されている。尚、ＲＡＭ６はＣＰＵ４のワークエリアとして使用され、DDR SDRAM(Double-Data-Rate Synchronous Dynamic Random Access Memory)メモリ等で構成されている。
【００１５】
読取部８はスキャナーで構成され、後述するＱＲコード（二次元バーコード）の情報を読み取り、ＣＰＵ４に出力する。また、印刷部９はサーマルヘッドや記録媒体の搬送系等で構成され、ＱＲコード等の印刷処理を行う。さらに、入出力インターフェイス１０は前述のパーソナルコンピュータ（ＰＣ）との通信制御を行う。
【００１６】
以上の構成において、以下に本例の処理動作を説明する。
図３は本例の処理動作を説明するフローチャートであり、印刷装置１を使用してＱＲコードを含む印刷処理を説明するものである。
先ず、印刷開始の判断を行う（ステップ（以下、Ｓで示す）１）。この判断は、例えば印刷装置１に設けられた不図示のキー入力部を操作し、ユーザによる印刷指示が行われた場合、イエス（ＹＥＳ）となる。この場合、記憶部７に記憶されたスケジュール情報のインデックス（索引、見出し、概要）、例えば会議の日時の情報をインデックスとして印刷する。すなわち、この印刷は、スケジュール情報そのものを印刷出力するものではなく、会議の日時等の情報を印刷し、当該日時に会議があることを認識させるためのラベル印刷である。したがって、記憶部７に記憶された当該スケジュール情報には、会議の日時以外に、会議名、会議の内容や出席者、場所等の情報も含まれているが、その全てを印刷出力するのではなく、必要な情報のみを印刷出力するものである。もちろんスケジュールの内容は、会議だけに限らず、催事、予定、会合、人との約束等何でも良い。（以下、このような個人の管理情報の概要を示す見出し情報を総じて「インデックス」と呼ぶ。）
【００１７】
次に、上記印刷指示があると、ＣＰＵ４は当該スケジュール情報のデータ番号（管理符号）を取得する（Ｓ２）。記憶部７には日時毎にデータ番号を付してスケジュール情報が記憶されており、ユーザによって指定されたスケジュールのデータ番号を取得する。
次に、ＣＰＵ４は印刷装置１の識別コードを取得する（Ｓ３）。前述のように、各印刷装置１のＲＯＭ５には識別コードの情報が記憶されており、ＲＯＭ５から識別コードの情報を取得する。例えば、印刷装置１の場合、ＲＯＭ５から識別コード（００００００２１）を取得する。一方、印刷装置２であれば、ＲＯＭ５から識別コード（００００００２２）を取得し、印刷装置３であれば、ＲＯＭ５から識別コード（００００００２３）を取得する。
【００１８】
次に、ＱＲコードを生成する（Ｓ４）。このＱＲコードの生成は、例えばＣＰＵ４がＲＯＭ５に記憶されたＱＲコード作成プログラムを読み出し、上記スケジュールのデータ番号と印刷装置（例えば、印刷装置１）の識別コードの情報とを使用して作成する。
【００１９】
このようにして作成されたＱＲコードと、スケジュール情報のインデックスとして例えば会議の日時の情報と、は印刷部９に出力され、印刷部９によってラベルに印刷される（Ｓ５）。その後、印刷されたラベル紙はユーザの目の届く場所、例えばテーブルの端やパーソナルコンピュータのディスプレイの端等の目立つ場所に貼り、会議の日時を忘れないようにする。
【００２０】
上記情報が印刷されたラベル紙は必要に応じて使用される。例えば、会議の日時に近づき、ユーザが会議の具体的な内容を確認する場合に使用される。図４はこの場合の処理を説明するフローチャートである。
【００２１】
先ず、ＱＲコードが印刷されたラベル紙を読取部８であるスキャナーに挿入し、読取部８にＱＲコードの読み取り処理を行わせる（ステップ（以下、ＳＴで示す）１）。次に、読取部８によって読み取られたＱＲコードのデータはＣＰＵ４によってデコード処理される（ＳＴ２）。このデコード処理によって、前述のスケジュール情報のデータ番号と印刷装置１の識別コードとが取得される。
【００２２】
次に、取得した印刷装置１の識別コードとＲＯＭ５に記憶された識別コードとの一致を判断する（ＳＴ３）。ここで、ユーザ自身が作成したラベル紙に印刷したＱＲコードを読み取らせた場合であれば、通常両識別コードは一致する（ＳＴ３がＹＥＳ）。すなわち、ＱＲコードを作成した印刷装置１の読取部８を使用して、当該ＱＲコードのデコード処理を行ったのであれば、両識別コードは一致する。
【００２３】
したがって、この場合更にデコードしたデータ番号の情報に基づいてスケジュール情報の検索を行い（ＳＴ４）、対応するスケジュール情報を読み出し、表示を行う（ＳＴ５）。尚、この表示は印刷装置１に接続されたパーソナルコンピュータ（ＰＣ１）のディスプレイに行われる。このように処理することによって、ユーザはディスプレイに表示される、例えば会議の内容や場所、出席者等の情報を確認することができる。
【００２４】
一方、第三者が上記ラベル紙を使用して会議の詳細情報を得ようとする場合、当該ラベル紙を持ち出し、例えば他の印刷装置２や３等に挿入して情報の読み出しを行う。しかし、この場合デコード処理後の識別コードの一致判断において（ＳＴ３）、両識別コードは不一致となり（ＳＴ３がＮＯ）、例えばエラー表示が行われる。したがって、第三者が上記ラベル紙を使用して会議の詳細情報を得ようとしても、会議の内容や場所、出席者等の情報を知ることはできず、ユーザのスケジュール情報のセキュリティは保護される。
【００２５】
尚、上記例では対応するスケジュール情報をパーソナルコンピュータ（ＰＣ１）のディスプレイに表示したが、印刷装置１に表示部を設け、この表示部に詳しい情報を表示するようにしてもよい。
【００２６】
また、上記実施形態によれば、ＱＲコードの生成に印刷装置１の識別コードとスケジュール情報のデータ番号とを使用したが、更に印刷装置１に接続されたパーソナルコンピュータ（ＰＣ１）の識別番号（識別情報）を含めてＱＲコードを生成するようにしてもよい。このように構成することによって、更にセキュリティの優れた印刷装置とすることができる。
【００２７】
また、本実施形態において、読取部８をスキャナーで構成し、ＱＲコードが印刷されたラベル紙を挿入する構成としたが、更にラベル紙の挿入口に不図示の鍵を設け、ユーザによって鍵を管理することで、更にセキュリティの優れた印刷装置とすることができる。
【００２８】
また、読取部８をカメラ等の撮像装置で構成し、ＱＲコードを撮影し、ＱＲコードのデータを読み取る構成としてもよい。さらに、本実施形態の説明では個人の管理情報として、スケジュール情報を対象としたが、スケジュール情報に限定されるものではない。
【００２９】
本発明はいくつかの実施形態を説明したが、本発明は特許請求の範囲に記載された発明とその均等の範囲とに含まれる。以下、本件特許出願の出願当初の特許請求の範囲に記載された発明を付記する。
【００３０】
付記１
個人の管理情報を管理符号毎に記憶する記憶部と、
該記憶部に記憶された個人の管理情報の管理符号と装置の識別情報を使用して識別用シンボルを生成する識別用シンボル生成部と、
前記個人の管理情報のインデックスと前記識別用シンボルの印刷を行う印刷部と、
該印刷部によって印刷された印刷物に印刷された前記識別用シンボルの情報から前記装置の識別情報を読み取る読取部と、
該読取部によって読み取られた装置の識別情報と読み取りを行った装置の識別情報の一致を判断し、両識別情報が一致する場合、前記個人の管理情報を表示する表示部と、
を有することを特徴とする印刷装置。
【００３１】
付記２
前記個人の管理情報の表示は、前記装置に接続されたホスト機器の表示部に行うことを特徴とする付記１に記載の印刷装置。
【００３２】
付記３
前記識別用シンボル生成部は、更に印刷装置に接続された前記ホスト機器の識別情報も含めた識別用シンボルを生成し、前記印刷部によって該識別用シンボルの印刷を行うことを特徴とする付記１、又は２に記載の印刷装置。
【００３３】
付記４
前記読取部には鍵が設置され、装置の管理者によって前記鍵が管理されることを特徴とする付記１、２、又は３に記載の印刷装置。
【００３４】
付記５
前記識別用シンボルは二次元バーコードであることを特徴とする付記１、２、３、又は４に記載の印刷装置。
【００３５】
付記６
個人の管理情報を管理符号毎に記憶部に記憶する処理と、
前記記憶部に記憶された個人の管理情報の管理符号と装置の識別情報を使用して識別用シンボルを生成する処理と、
前記個人の管理情報の管理符号のインデックスと前記識別用シンボルの印刷を行う印刷処理と、
該印刷処理によって印刷された印刷物に印刷された前記識別用シンボルの情報から前記装置の識別情報を読み取る読取処理と、
該読取処理によって読み取られた装置の識別情報と読み取りを行った装置の識別情報の一致を判断し、両識別情報が一致する場合、前記個人の管理情報を表示する表示処理と、
を行うことを特徴とする印刷装置の制御方法。
【符号の説明】
【００３６】
１〜３・・・印刷装置
１ａ、２ａ、３ａ・・識別コード（識別情報）
４・・・ＣＰＵ
５・・・ＲＯＭ
６・・・ＲＡＭ
７・・・記憶部
８・・・読取部
９・・・印刷部
１０・・入出力インターフェイス
ＰＣ１〜ＰＣ３・・パーソナルコンピュータ
【図２】
0005982770.tif 000002
【図３】
0005982770.tif 000003
【図４】
0005982770.tif 000004
【図１】
0005982770.tif 000005